(57)【要約】【課題】本発明は便利なLEDランプを開示した。【解決手段】室内屋根に取り付けられるベース2及び前記ベース2に係合接続されるLEDライト1を含み、前記LEDライトの頂部に台形のガイドブロック10が設置され、前記台形のガイドブロックの頂部端面にロックブロック11が設置され、前記ロックブロック11の頂端面の中央に電気継手12が設置され、前記ロックブロック11の左右両端面に二つのロック筐体13が対称設置され、本発明のLEDライトはしっかりロックされており、給電も安全で安定しており、取り付ける時、LEDライトをロックして通電し、取り外す時、LEDライトの電源を切る同時に、LEDライトをアンロックさせ、この装置の操作が便利で、LEDライトの取り付けや取り外しの効率を大幅に向上させ、それによる感電事故を有効に避け、作業員の命を守る。【選択図】図3
2019087527.tif 000002
【特許請求の範囲】
【請求項１】
本発明の便利なLEDランプは、室内屋根に取り付けられるベース及び前記ベースに係合接続されるLEDライトを含み、前記LEDライトの頂部に台形のガイドブロックが設置され、前記台形のガイドブロックの頂部端面にロックブロックが設置され、前記ロックブロックの頂端面の中央に電気継手が設置され、前記ロックブロックの左右両端面に二つのロック筐体が対称設置され、前記ベースの底部に前記台形ガイドブロックに係合接続される台形ガイド溝が設置され、前記台形ガイド溝の頂端壁に前記ロックブロックに係合接続されるロック溝が設置され、前記台形ガイド溝の頂端壁に前記ロックブロックに係合接続されるロック溝が設置され、前記ロック溝の頂端壁の中央に給電穴が設置され、前記ベースの中に二つの第一滑り筐体が対称で設置され、前記ロック溝の左右両端壁に外側に伸びて且つ向かい合う前記第一滑り筐体に連結する滑り溝が対称で設置され、前記第一滑り筐体の中に左右滑動できる滑り板が設置され、前記滑り溝の中に左右滑動できるロックバーが設置され、前記ロックバーの外側端が前記滑り板の内側端面に固定接続され、前記ロックバーの内側端面底部に圧力受け傾斜面が設置され、前記第一滑り筐体の中に前記滑り板の外側端面に固定接続され且つ前記滑り板を内側に押さえて前記ロックバーの内側を前記ロック溝に伸びる支えばねが設置され、前記支えばねの上に前記第一滑り筐体の外側端面に固定接続されるシャッターが設置され、前記滑り板に前記シャッターに向かい合う通し溝が左右貫通で設置され、前記二つの第一滑り筐体の頂部の間に外押し中空筐体が連結設置され、前記外押し中空筐体の中に外押し部品が設置され、前記外押し中空筐体の頂端壁に駆動中空筐体が設置され、前記駆動中空筐体の左端壁に電機が設置され、前記駆動中空筐体の中に前記電機の輸出軸第一歯車が固定接続され、前記駆動中空筐体の右端壁に電気接続装置が設置され、前記ベースの中に誘導装置が設置され、前記外押し部品は前記第一歯車に噛み合う第二歯車を含み、前記第二歯車の左右両端に第一ボルトが対称設置され、前記外押し中空筐体の中に前記第一ボルトが対称設置され、前記外押し中空筐体の中に前記第一ボルトにねじで係合接続される外押し滑りブロックが左右対称で設置され、前記外押し滑りブロックの外側端面にゴムパッドが固定設置され、前記外押し滑りブロックの中に前記第一ボルトにねじで係合接続される第一ねじ穴が設置され、前記電気接続装置は前記駆動中空筐体の右端壁に設置される電気接続溝を含み、前記電気接続溝に左右滑動できる電気接続滑りブロックが設置され、前記電気接続滑りブロックの右端面に銅板が固定設置され、前記電気接続溝の右端壁に上弾性電気継手と下弾性電気継手が上下対称で設置され、前記第一歯車の右端壁に前記電気接続溝の中に伸びて且つ前記電気接続滑りブロックの中にある第二ねじ穴にねじで係合接続される第二ボルトが固定設置され、前記上弾性電気継手が給電電源に電気接続され、前記下弾性電気継手が前記給電穴に電気接続され、前記第二歯車と前記第一歯車の体積が同じであり、前記シャッターの内側端に案内ヘッドが設置され、前記シャッターの横断面積が前記通し溝の横断面積より小さく、前記ロックブロックの頂端面の左右両側に前記圧力受け傾斜面に当接して滑り係合接続されるプッシュ傾斜面が対称で設置され、前記プッシュ傾斜面と前記圧力受け傾斜面の傾斜角度が同じで、それによって、前記ロックブロックが二つの前記ロックバーを押して外側にに滑らせ、前記滑り板と前記ロックバーが一体式構造であり、前記誘導装置は前記駆動中空筐体の右側外壁に固定設置される誘導器を含み、前記誘導器と前記電機が電気接続される。
【発明の詳細な説明】
【技術分野】
【０００１】
本発明はLEDランプ技術分野に関し、具体的には、便利なLEDランプに関する。
【背景技術】
【０００２】
LEDランプは発光効率が高く、消費電力が少なく、寿命が長く、省エネなどの特徴が持って広く応用され、一般的に、LEDランプはLEDを光源に採用され、室内屋根に設置されることが多いが、現有のLEDランプが設置中ねじまたは拡張ボルトで室内屋根に固定され、こういうような設置方式が室内屋根にダメージを与えるだけでなく、設置操作も複雑で、LEDランプを快速に取り付け、取り外しすには不便であり、現有のLEDランプが設置される時、電流を通して固定して、この設置手順で作業員が感電する事故が発生しやすいため、安全リスクが存在しておる。
【先行技術文献】
【特許文献】
【０００３】
【特許文献１】中国特許出願公開第104848050号明細書
【発明の概要】
【発明が解決しようとする課題】
【０００４】
本発明の目的は上記の背景技術に提出された問題を解決するための便利なLEDランプを提供することにある。
【課題を解決するための手段】
【０００５】
本発明の便利なLEDランプは室内屋根に取り付けられるベース及び前記ベースに係合接続されるLEDライトを含み、前記LEDライトの頂部に台形のガイドブロックが設置され、前記台形のガイドブロックの頂部端面にロックブロックが設置され、前記ロックブロックの頂端面の中央に電気継手が設置され、前記ロックブロックの左右両端面に二つのロック筐体が対称設置され、前記ベースの底部に前記台形ガイドブロックに係合接続される台形ガイド溝が設置され、前記台形ガイド溝の頂端壁に前記ロックブロックに係合接続されるロック溝が設置され、前記台形ガイド溝の頂端壁に前記ロックブロックに係合接続されるロック溝が設置され、前記ロック溝の頂端壁の中央に給電穴が設置され、前記ベースの中に二つの第一滑り筐体が対称で設置され、前記ロック溝の左右両端壁に外側に伸びて且つ向かい合う前記第一滑り筐体に連結する滑り溝が対称で設置され、前記第一滑り筐体の中に左右滑動できる滑り板が設置され、前記滑り溝の中に左右滑動できるロックバーが設置され、前記ロックバーの外側端が前記滑り板の内側端面に固定接続され、前記ロックバーの内側端面底部に圧力受け傾斜面が設置され、前記第一滑り筐体の中に前記滑り板の外側端面に固定接続され且つ前記滑り板を内側に押さえて前記ロックバーの内側を前記ロック溝に伸びる支えばねが設置され、前記支えばねの上に前記第一滑り筐体の外側端面に固定接続されるシャッターが設置され、前記滑り板に前記シャッターに向かい合う通し溝が左右貫通で設置され、前記二つの第一滑り筐体の頂部の間に外押し中空筐体が連結設置され、前記外押し中空筐体の中に外押し部品が設置され、前記外押し中空筐体の頂端壁に駆動中空筐体が設置され、前記駆動中空筐体の左端壁に電機が設置され、前記駆動中空筐体の中に前記電機の輸出軸第一歯車が固定接続され、前記駆動中空筐体の右端壁に電気接続装置が設置され、前記ベースの中に誘導装置が設置される。
【０００６】
優選された技術プランとして、前記外押し部品は前記第一歯車に噛み合う第二歯車を含み、前記第二歯車の左右両端に第一ボルトが対称設置され、前記外押し中空筐体の中に前記第一ボルトが対称設置され、前記外押し中空筐体の中に前記第一ボルトにねじで係合接続される外押し滑りブロックが左右対称で設置され、前記外押し滑りブロックの外側端面にゴムパッドが固定設置され、前記外押し滑りブロックの中に前記第一ボルトにねじで係合接続される第一ねじ穴が設置される。
【０００７】
優選された技術プランとして、前記電気接続装置は前記駆動中空筐体の右端壁に設置される電気接続溝を含み、前記電気接続溝に左右滑動できる電気接続滑りブロックが設置され、前記電気接続滑りブロックの右端面に銅板が固定設置され、前記電気接続溝の右端壁に上弾性電気継手と下弾性電気継手が上下対称で設置され、前記第一歯車の右端壁に前記電気接続溝の中に伸びて且つ前記電気接続滑りブロックの中にある第二ねじ穴にねじで係合接続される第二ボルトが固定設置され、前記上弾性電気継手が給電電源に電気接続され、前記下弾性電気継手が前記給電穴に電気接続される。
【０００８】
優選された技術プランとして、前記第二歯車と前記第一歯車の体積が同じでる。
【０００９】
優選された技術プランとして、前記シャッターの内側端に案内ヘッドが設置され、前記シャッターの横断面積が前記通し溝の横断面積より小さい。
【００１０】
優選された技術プランとして、前記ロックブロックの頂端面の左右両側に前記圧力受け傾斜面に当接して滑り係合接続されるプッシュ傾斜面が対称で設置され、前記プッシュ傾斜面と前記圧力受け傾斜面の傾斜角度が同じで、それによって、前記ロックブロックが二つの前記ロックバーを押して外側にに滑らせ、前記滑り板と前記ロックバーが一体式構造である。
【００１１】
優選された技術プランとして、前記誘導装置は前記駆動中空筐体の右側外壁に固定設置される誘導器を含み、前記誘導器と前記電機が電気接続される。
【発明の効果】
【００１２】
本発明の有益効果は、前記ロックブロックが前記ロック溝に挿入する途中、まず前記プッシュ傾斜面を前記圧力受け傾斜面に当接して滑り係合接続され、二つの前記ロックバーが前記ロックブロックに押されそれぞれに外側に滑って前記滑り溝に縮まれ、前記ロックブロックの頂端面が前記ロック溝の頂端壁に当接すると、前記台形ガイドブロックが前記前記台形ガイド溝に係合接続され、前記ロックブロックが前記ロック溝に係合接続され、この時前記電気継手が前記給電穴に係合接続され、この時前記二つのロック筐体が前記滑り溝に向かい合い、前記支えばねの弾力で二つの前記ロックバーの内側端が前記滑り溝から抜け出し、前記ロック筐体に伸びて係合接続され、それによって、前記ロックブロックを前記ロック溝にロックさせ、同時に前記台形ガイドブロックを前記台形ガイド溝にロックさせ、それによって前記給電穴を前記LEDライトに給電させ、前記LEDライトが通電状態にありながら、ロック状態でもあり、LEDライトの取り付け効率を向上させ、ロックを固め、給電が安全で安定にさせる。  
【００１３】
前記LEDライトを支え、前記電気を制御して回転させ、前記電機が回転して前記第一歯車を回転させ、前記第一歯車が回転して前記第二歯車と前記第二ボルトを同時に回転駆動させ、前記第二ボルトが回転して前記電気接続滑りブロックを左に滑り回転させ、それによって、前記銅板を前記上弾性電気継手と下弾性電気継手の接触から離脱させ、前記給電穴を給電中断させ、前記第二歯車が回転して二本前記の第一ボルトを回転駆動させ、前記第一ボルトが回転して前記外押し滑りブロックを外側に滑り回転させ、前記外押し滑りブロックが外側に滑って前記滑り板を外側に滑らせ、それによって、前記滑り板が前期ロックバーを外側に滑り駆動させ、前記ロックバーが外側に滑って前記ロックバーの内側端を前記ロック筐体の係合接続から離脱させ、それによって、前記ロックブロックをアンロックさせ、前記ロックブロックを抜け、前記LEDライトを取り外すには便利であり、LEDライトの取り外す効率を向上させ、LEDライトが損壊された後に取り外すには便利である。  
【００１４】
本発明のLEDライトはしっかりロックされており、給電も安全で安定しており、取り付ける時、LEDライトをロックして通電し、取り外す時、LEDライトの電源を切る同時に、LEDライトをアンロックさせ、この装置の操作が便利で、LEDライトの取り付けや取り外しの効率を大幅に向上させ、それによる感電事故を有効に避け、作業員の命を守る。
【図面の簡単な説明】
【００１５】
【図１】本発明の便利なLEDランプの整体構造模式図である。
【図２】図1のLEDライトがロックされる状態の時の構造模式図である。
【図３】本発明の便利なLEDランプの局部構造模式図である。
【発明を実施するための形態】
【００１６】
下記に附図を交え本発明の好ましい実施例を詳しく説明し、本発明の長所と特徴を本分野の技術者にもっとやすく理解させ、これにより本発明の保護範囲にもっと明確な画定を行う。
【００１７】
図1-3が示すように、本発明の便利なLEDランプ，室内屋根に取り付けられるベース2及び前記ベース2に係合接続されるLEDライト1を含み、前記LEDライトの頂部に台形のガイドブロック10が設置され、前記台形のガイドブロックの頂部端面にロックブロック11が設置され、前記ロックブロック11の頂端面の中央に電気継手12が設置され、前記ロックブロック11の左右両端面に二つのロック筐体13が対称設置され、前記ベース2の底部に前記台形ガイドブロック10に係合接続される台形ガイド溝20が設置され、前記台形ガイド溝20の頂端壁に前記ロックブロック11に係合接続されるロック溝20が設置され、前記台形ガイド溝20の頂端壁に前記ロックブロック11に係合接続されるロック溝21が設置され、前記ロック溝21の頂端壁の中央に給電穴22が設置され、前記ベース2の中に二つの第一滑り筐体2が対称で設置され、前記ロック溝21の左右両端壁に外側に伸びて且つ向かい合う前記第一滑り筐体2に連結する滑り溝23が対称で設置され、前記第一滑り筐体3の中に左右滑動できる滑り板31が設置され、前記滑り溝23の中に左右滑動できるロックバー32が設置され、前記ロックバー32の外側端が前記滑り板31の内側端面に固定接続され、前記ロックバー32の内側端面底部に圧力受け傾斜面33が設置され、前記第一滑り筐体3の中に前記滑り板31の外側端面に固定接続され且つ前記滑り板31を内側に押さえて前記ロックバー32の内側を前記ロック溝21に伸びる支えばね34が設置され、前記支えばね34の上に前記第一滑り筐体3の外側端面に固定接続されるシャッター35が設置され、前記滑り板31に前記シャッター35に向かい合う通し溝36が左右貫通で設置され、前記二つの第一滑り筐体3の頂部の間に外押し中空筐体4が連結設置され、前記外押し中空筐体4の中に外押し部品が設置され、前記外押し中空筐体4の頂端壁に駆動中空筐体5が設置され、前記駆動中空筐体5の左端壁に電機52が設置され、前記駆動中空筐体5の中に前記電機52の輸出軸第一歯車51が固定接続され、前記駆動中空筐体5の右端壁に電気接続装置が設置され、前記ベース2の中に誘導装置が設置され、その中に、前記外押し部品は前記第一歯車51に噛み合う第二歯車41を含み、前記第二歯車41の左右両端に第一ボルト42が対称設置され、前記外押し中空筐体4の中に前記第一ボルト42が対称設置され、前記外押し中空筐体4の中に前記第一ボルト42にねじで係合接続される外押し滑りブロック43が左右対称で設置され、前記外押し滑りブロック43の外側端面にゴムパッド44が固定設置され、前記外押し滑りブロック43の中に前記第一ボルト42にねじで係合接続される第一ねじ穴45が設置され、前記ゴムパッド44を通じて前記外押し滑りブロック43が前記滑り板31を押す時滑り板31を損壊することが防止できる。
【００１８】
その中に、前記電気接続装置は前記駆動中空筐体5の右端壁に設置される電気接続溝6を含み、前記電気接続溝6に左右滑動できる電気接続滑りブロック61が設置され、前記電気接続滑りブロック61の右端面に銅板62が固定設置され、前記電気接続溝6の右端壁に上弾性電気継手64と下弾性電気継手65が上下対称で設置され、前記第一歯車51の右端壁に前記電気接続溝6の中に伸びて且つ前記電気接続滑りブロック61の中にある第二ねじ穴63にねじで係合接続される第二ボルト53が固定設置され、前記上弾性電気継手64が給電電源に電気接続され、前記下弾性電気継手65が前記給電穴22に電気接続される。
【００１９】
その中に、前記第二歯車41と前記第一歯車51の体積が同じで、原動力を伝送するには便利である。
【００２０】
その中に、前記シャッター35の内側端に案内ヘッドが設置され、前記シャッター35の横断面積が前記通し溝36の横断面積より小さいため、前記シャッター35を前記通し溝36に挿入させ、前記シャッター35を通じて前記支えばね34の位置が変化することを防止する。
【００２１】
その中に、前記ロックブロック11の頂端面の左右両側に前記圧力受け傾斜面33に当接して滑り係合接続されるプッシュ傾斜面14が対称で設置され、前記プッシュ傾斜面14と前記圧力受け傾斜面33の傾斜角度が同じで、それによって、前記ロックブロック11が二つの前記ロックバー32を押して外側にに滑らせ、前記滑り板31と前記ロックバー32が一体式構造である。
【００２２】
その中に、前記誘導装置は前記駆動中空筐体5の右側外壁に固定設置される誘導器50を含み、前記誘導器50と前記電機52が電気接続され、前記電気接続滑りブロック61が最も右端に移動されると、前記誘導器50が前記電機52を制御して運行を停止する。
【００２３】
初期位置にある時、前記電機52が停止状態にあり、前記電気接続滑りブロック61が前記電気接続溝6の右側に位置され、前記銅板62が前記上弾性電気継手64と下弾性電気継手65に接触され、二つの前記外押し滑りブロック43が前記外押し中空筐体4の中に位置され、二つの前記滑り板31がそれぞれに前記第一滑り筐体3の内側端に位置され、二つの前記ロックバー32の内側端が前期滑り溝23から抜け出し、前記ロック溝21の中に伸びて、この時前記給電穴22が通電状態にある。
【００２４】
LEDライト1を取り付ける時、前記台形ガイドブロック10を前記台形ガイド溝20に位置合わせ、前記ロックブロック11を前記ロック溝21に位置合わせ、LEDライト1を上に押して、前記ロックブロック11が前記台形ガイド溝20を通して前記ロック溝21に挿入させ、前記台形ガイドブロック10が前記台形ガイド溝20に挿入させ、前記ロックブロック11が前記ロック溝21に挿入する途中、まず前記プッシュ傾斜面14を前記圧力受け傾斜面33に当接して滑り係合接続され、二つの前記ロックバー32が前記ロックブロック11に押されそれぞれに外側に滑って前記滑り溝23に縮まれ、前記ロックブロック11の頂端面が前記ロック溝21の頂端壁に当接すると、前記台形ガイドブロック10が前記前記台形ガイド溝20に係合接続され、前記ロックブロック11が前記ロック溝21に係合接続され、この時前記電気継手12が前記給電穴22に係合接続され、この時前記二つのロック筐体13が前記滑り溝23に向かい合い、前記支えばね34の弾力で二つの前記ロックバー32の内側端が前記滑り溝23から抜け出し、前記ロック筐体13に伸びて係合接続され、それによって、前記ロックブロック11を前記ロック溝21にロックさせ、同時に前記台形ガイドブロック10を前記台形ガイド溝20にロックさせ、それによって前記給電穴22を前記LEDライト1に給電させ、前記LEDライト1が通電状態にありながら、ロック状態でもある。
【００２５】
LEDライト1を取り外す時、まず前記LEDライトを支え、前記電気52を制御して回転させ、前記電機52が回転して前記第一歯車51を回転させ、前記第一歯車51が回転して前記第二歯車41と前記第二ボルト53を同時に回転駆動させ、前記第二ボルト53が回転して前記電気接続滑りブロック61を左に滑り回転させ、それによって、前記銅板62を前記上弾性電気継手64と下弾性電気継手65の接触から離脱させ、前記給電穴22を給電中断させ、前記第二歯車41が回転して二本前記の第一ボルト42を回転駆動させ、前記第一ボルト42が回転して前記外押し滑りブロック43を外側に滑り回転させ、前記外押し滑りブロック43が外側に滑って前記滑り板31を外側に滑らせ、それによって、前記滑り板31が前期ロックバー32を外側に滑り駆動させ、前記ロックバー32が外側に滑って前記ロックバー32の内側端を前記ロック筐体13の係合接続から離脱させ、それによって、前記ロックブロック11をアンロックさせ、前記ロックブロック11を抜け、前記LEDライト1を取り外すには便利であり、最後前記電機52を制御して反転させ、本装置を元の位置に戻させ、次回のLEDライト1の取り付けや使用に便利である。
【００２６】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【図１】
2019087527.tif 000003
【図２】
2019087527.tif 000004
【図３】
2019087527.tif 000005
【手続補正書】
【提出日】平成31年1月15日(2019.1.15)
【手続補正１】
【補正対象書類名】特許請求の範囲
【補正対象項目名】請求項１
【補正方法】変更
【補正の内容】
【請求項１】
本発明の便利なLEDランプは、壁に取り付けられるベース及び前記ベースに係合接続されるLEDライトを含み、前記LEDライトの頂部に台形のガイドブロックが設置され、前記台形のガイドブロックの頂部端面にロックブロックが設置され、前記ロックブロックの頂端面の中央に電気継手が設置され、前記ロックブロックの左右両端面に二つのロックキャビティが対称設置され、前記ベースの底部に前記台形ガイドブロックに係合接続される台形ガイド溝が設置され、前記台形ガイド溝の頂端壁に前記ロックブロックに係合接続されるロック溝が設置され、前記ロック溝の頂端壁の中央に給電穴が設置され、前記ベースの中に二つの第一スライドキャビティが対称で設置され、前記ロック溝の左右両端壁に外側に伸びて且つ向かい合う前記第一スライドキャビティに連結する滑り溝が対称で設置され、前記第一スライドキャビティの中に左右滑動できる滑り板が設置され、前記滑り溝の中に左右滑動できるロックバーが設置され、前記ロックバーの外側端が前記滑り板の内側端面に固定接続され、前記ロックバーの内側端面底部に圧力受け傾斜面が設置され、前記第一スライドキャビティの中に前記滑り板の外側端面に固定接続され且つ前記滑り板を内側に押さえて前記ロックバーの内側を前記ロック溝に伸びる支えばねが設置され、前記第一スライドキャビティのうち前記ロック溝から離れている端壁には前記支えばねの上方に位置するシャッターが固定的に接続され、前記滑り板に前記シャッターに向かい合う通し溝が左右貫通で設置され、前記二つの第一スライドキャビティの頂部の間に外押し空キャビティが連結設置され、前記外押し空キャビティの中に外押し部品が設置され、前記外押し空キャビティの頂端壁に駆動空キャビティが設置され、前記駆動空キャビティの左端壁にモーターが設置され、前記駆動空キャビティの中に前記モーターの出力軸と固定接続する第一歯車が回転できるように設置され、前記駆動空キャビティの右端壁に電気接続装置が設置され、前記ベースの中に誘導装置が設置され、前記外押し部品は前記第一歯車に噛み合う第二歯車を含み、前記第二歯車の左右両端に第一ボルトが対称設置され、前記外押し空キャビティの中に前記第一ボルトが対称設置され、前記外押し空キャビティの中に前記第一ボルトにねじで係合接続される外押し滑りブロックが左右対称で設置され、前記外押し滑りブロックの外側端面にゴムパッドが固定設置され、前記外押し滑りブロックの中に前記第一ボルトにねじで係合接続される第一ねじ穴が設置され、前記電気接続装置は前記駆動空キャビティの右端壁に設置される電気接続溝を含み、前記電気接続溝に左右滑動できる電気接続滑りブロックが設置され、前記電気接続滑りブロックの右端面に銅板が固定設置され、前記電気接続溝の右端壁に上弾性電気継手と下弾性電気継手が上下対称で設置され、前記第一歯車の右端壁に前記電気接続溝の中に伸びて且つ前記電気接続滑りブロックの中にある第二ねじ穴にねじで係合接続される第二ボルトが固定設置され、前記上弾性電気継手が給電電源に電気接続され、前記下弾性電気継手が前記給電穴に電気接続され、前記第二歯車と前記第一歯車の体積が同じであり、前記シャッターの内側端に案内ヘッドが設置され、前記シャッターの横断面積が前記通し溝の横断面積より小さく、前記ロックブロックの頂端面の左右両側に前記圧力受け傾斜面に当接して滑り係合接続されるプッシュ傾斜面が対称で設置され、前記プッシュ傾斜面と前記圧力受け傾斜面の傾斜角度が同じで、それによって、前記滑り板と前記ロックバーが一体式構造であり、前記誘導装置は前記電気接続溝の右側内壁に固定的に設置される誘導器を含み、前記誘導器と前記モーターが電気接続される。
【手続補正２】
【補正対象書類名】明細書
【補正対象項目名】全文
【補正方法】変更
【補正の内容】
【発明の詳細な説明】
【技術分野】
【０００１】
本発明はLEDランプ技術分野に関し、具体的には、便利なLEDランプに関する。
【背景技術】
【０００２】
LEDランプは発光効率が高く、消費電力が少なく、寿命が長く、省エネなどの特徴が持って広く応用され、一般的に、LEDランプはLEDを光源に採用され、室内屋根に設置されることが多いが、現有のLEDランプが設置中ねじまたは拡張ボルトで室内屋根に固定され、こういうような設置方式が室内屋根にダメージを与えるだけでなく、設置操作も複雑で、LEDランプを快速に取り付け、取り外しすには不便であり、現有のLEDランプが設置される時、電流を通して固定して、この設置手順で作業員が感電する事故が発生しやすいため、安全リスクが存在しておる。
【先行技術文献】
【特許文献】
【０００３】
【特許文献１】中国特許出願公開第104848050号明細書
【発明の概要】
【発明が解決しようとする課題】
【０００４】
本発明の目的は上記の背景技術に提出された問題を解決するための便利なLEDランプを提供することにある。
【課題を解決するための手段】
【０００５】
本発明の便利なLEDランプは壁に取り付けられるベース及び前記ベースに係合接続されるLEDライトを含み、前記LEDライトの頂部に台形のガイドブロックが設置され、前記台形のガイドブロックの頂部端面にロックブロックが設置され、前記ロックブロックの頂端面の中央に電気継手が設置され、前記ロックブロックの左右両端面に二つのロックキャビティが対称設置され、前記ベースの底部に前記台形ガイドブロックに係合接続される台形ガイド溝が設置され、前記台形ガイド溝の頂端壁に前記ロックブロックに係合接続されるロック溝が設置され、前記ロック溝の頂端壁の中央に給電穴が設置され、前記ベースの中に二つの第一スライドキャビティが対称で設置され、前記ロック溝の左右両端壁に外側に伸びて且つ向かい合う前記第一スライドキャビティに連結する滑り溝が対称で設置され、前記第一スライドキャビティの中に左右滑動できる滑り板が設置され、前記滑り溝の中に左右滑動できるロックバーが設置され、前記ロックバーの外側端が前記滑り板の内側端面に固定接続され、前記ロックバーの内側端面底部に圧力受け傾斜面が設置され、前記第一スライドキャビティの中に前記滑り板の外側端面に固定接続され且つ前記滑り板を内側に押さえて前記ロックバーの内側を前記ロック溝に伸びる支えばねが設置され、前記第一スライドキャビティのうち前記ロック溝から離れている端壁には前記支えばねの上方に位置するシャッターが固定的に接続され、前記滑り板に前記シャッターに向かい合う通し溝が左右貫通で設置され、前記二つの第一スライドキャビティの頂部の間に外押し空キャビティが連結設置され、前記外押し空キャビティの中に外押し部品が設置され、前記外押し空キャビティの頂端壁に駆動空キャビティが設置され、前記駆動空キャビティの左端壁にモーターが設置され、前記駆動空キャビティの中に前記モーターの出力軸と固定接続する第一歯車が回転できるように設置され、前記駆動空キャビティの右端壁に電気接続装置が設置され、前記ベースの中に誘導装置が設置される。
【０００６】
優選された技術プランとして、前記外押し部品は前記第一歯車に噛み合う第二歯車を含み、前記第二歯車の左右両端に第一ボルトが対称設置され、前記外押し空キャビティの中に前記第一ボルトが対称設置され、前記外押し空キャビティの中に前記第一ボルトにねじで係合接続される外押し滑りブロックが左右対称で設置され、前記外押し滑りブロックの外側端面にゴムパッドが固定設置され、前記外押し滑りブロックの中に前記第一ボルトにねじで係合接続される第一ねじ穴が設置される。
【０００７】
優選された技術プランとして、前記電気接続装置は前記駆動空キャビティの右端壁に設置される電気接続溝を含み、前記電気接続溝に左右滑動できる電気接続滑りブロックが設置され、前記電気接続滑りブロックの右端面に銅板が固定設置され、前記電気接続溝の右端壁に上弾性電気継手と下弾性電気継手が上下対称で設置され、前記第一歯車の右端壁に前記電気接続溝の中に伸びて且つ前記電気接続滑りブロックの中にある第二ねじ穴にねじで係合接続される第二ボルトが固定設置され、前記上弾性電気継手が給電電源に電気接続され、前記下弾性電気継手が前記給電穴に電気接続される。
【０００８】
優選された技術プランとして、前記第二歯車と前記第一歯車の体積が同じでる。
【０００９】
優選された技術プランとして、前記シャッターの内側端に案内ヘッドが設置され、前記シャッターの横断面積が前記通し溝の横断面積より小さい。
【００１０】
優選された技術プランとして、前記ロックブロックの頂端面の左右両側に前記圧力受け傾斜面に当接して滑り係合接続されるプッシュ傾斜面が対称で設置され、前記プッシュ傾斜面と前記圧力受け傾斜面の傾斜角度が同じで、それによって、前記ロックブロックが二つの前記ロックバーを押して外側に滑らせ、前記滑り板と前記ロックバーが一体式構造である。
【００１１】
優選された技術プランとして、前記誘導装置は前記電気接続溝の右側内壁に固定的に設置される誘導器を含み、前記誘導器と前記モーターが電気接続される。
【発明の効果】
【００１２】
本発明の有益効果は、前記ロックブロックが前記ロック溝に挿入する途中、まず前記プッシュ傾斜面を前記圧力受け傾斜面に当接して滑り係合接続され、二つの前記ロックバーが前記ロックブロックに押されそれぞれに外側に滑って前記滑り溝に縮まれ、前記ロックブロックの頂端面が前記ロック溝の頂端壁に当接すると、前記台形ガイドブロックが前記台形ガイド溝に係合接続され、前記ロックブロックが前記ロック溝に係合接続され、この時前記電気継手が前記給電穴に係合接続され、この時前記二つのロックキャビティが前記滑り溝に向かい合い、前記支えばねの弾力で二つの前記ロックバーの内側端が前記滑り溝から抜け出し、前記ロックキャビティに伸びて係合接続され、それによって、前記ロックブロックを前記ロック溝にロックさせ、同時に前記台形ガイドブロックを前記台形ガイド溝にロックさせ、それによって前記給電穴を前記LEDライトに給電させ、前記LEDライトが通電状態にありながら、ロック状態でもあり、LEDライトの取り付け効率を向上させ、ロックを固め、給電が安全で安定にさせる。
【００１３】
前記LEDライトを支え、前記電気を制御して回転させ、前記モーターが回転して前記第一歯車を回転させ、前記第一歯車が回転して前記第二歯車と前記第二ボルトを同時に回転駆動させ、前記第二ボルトが回転して前記電気接続滑りブロックを左に滑り回転させ、それによって、前記銅板を前記上弾性電気継手と下弾性電気継手の接触から離脱させ、前記給電穴を給電中断させ、前記第二歯車が回転して二本前記の第一ボルトを回転駆動させ、前記第一ボルトが回転して前記外押し滑りブロックを外側に滑り回転させ、前記外押し滑りブロックが外側に滑って前記滑り板を外側に滑らせ、それによって、前記滑り板が前期ロックバーを外側に滑り駆動させ、前記ロックバーが外側に滑って前記ロックバーの内側端を前記ロックキャビティの係合接続から離脱させ、それによって、前記ロックブロックをアンロックさせ、前記ロックブロックを抜け、前記LEDライトを取り外すには便利であり、LEDライトの取り外す効率を向上させ、LEDライトが損壊された後に取り外すには便利である。
【００１４】
本発明のLEDライトはしっかりロックされており、給電も安全で安定しており、取り付ける時、LEDライトをロックして通電し、取り外す時、LEDライトの電源を切る同時に、LEDライトをアンロックさせ、この装置の操作が便利で、LEDライトの取り付けや取り外しの効率を大幅に向上させ、それによる感電事故を有効に避け、作業員の命を守る。
【図面の簡単な説明】
【００１５】
【図１】本発明の便利なLEDランプの整体構造模式図である。
【図２】図1のLEDライトがロックされる状態の時の構造模式図である。
【図３】本発明の便利なLEDランプの局部構造模式図である。
【発明を実施するための形態】
【００１６】
下記に附図を交え本発明の好ましい実施例を詳しく説明し、本発明の長所と特徴を本分野の技術者にもっとやすく理解させ、これにより本発明の保護範囲にもっと明確な画定を行う。
【００１７】
図1-3が示すように、本発明の便利なLEDランプ，壁に取り付けられるベース2及び前記ベース2に係合接続されるLEDライト1を含み、前記LEDライトの頂部に台形のガイドブロック10が設置され、前記台形のガイドブロックの頂部端面にロックブロック11が設置され、前記ロックブロック11の頂端面の中央に電気継手12が設置され、前記ロックブロック11の左右両端面に二つのロックキャビティ13が対称設置され、前記ベース2の底部に前記台形ガイドブロック10に係合接続される台形ガイド溝20が設置され、前記台形ガイド溝20の頂端壁に前記ロックブロック11に係合接続されるロック溝20が設置され、前記ロック溝21の頂端壁の中央に給電穴22が設置され、前記ベース2の中に二つの第一スライドキャビティ2が対称で設置され、前記ロック溝21の左右両端壁に外側に伸びて且つ向かい合う前記第一スライドキャビティ2に連結する滑り溝23が対称で設置され、前記第一スライドキャビティ3の中に左右滑動できる滑り板31が設置され、前記滑り溝23の中に左右滑動できるロックバー32が設置され、前記ロックバー32の外側端が前記滑り板31の内側端面に固定接続され、前記ロックバー32の内側端面底部に圧力受け傾斜面33が設置され、前記第一スライドキャビティ3の中に前記滑り板31の外側端面に固定接続され且つ前記滑り板31を内側に押さえて前記ロックバー32の内側を前記ロック溝21に伸びる支えばね34が設置され、前記第一スライドキャビティ３のうち前記ロック溝２１から離れている端壁には前記支えばね３４の上方に位置するシャッター３５が固定的に接続され、前記滑り板31に前記シャッター35に向かい合う通し溝36が左右貫通で設置され、前記二つの第一スライドキャビティ3の頂部の間に外押し空キャビティ4が連結設置され、前記外押し空キャビティ4の中に外押し部品が設置され、前記外押し空キャビティ4の頂端壁に駆動空キャビティ5が設置され、前記駆動空キャビティ5の左端壁にモーター52が設置され、前記駆動空キャビティ５の中に前記モーター５２の出力軸と固定接続する第一歯車５１が回転できるように設置され、前記駆動空キャビティ5の右端壁に電気接続装置が設置され、前記ベース2の中に誘導装置が設置され、その中に、前記外押し部品は前記第一歯車51に噛み合う第二歯車41を含み、前記第二歯車41の左右両端に第一ボルト42が対称設置され、前記外押し空キャビティ4の中に前記第一ボルト42が対称設置され、前記外押し空キャビティ4の中に前記第一ボルト42にねじで係合接続される外押し滑りブロック43が左右対称で設置され、前記外押し滑りブロック43の外側端面にゴムパッド44が固定設置され、前記外押し滑りブロック43の中に前記第一ボルト42にねじで係合接続される第一ねじ穴45が設置され、前記ゴムパッド44を通じて前記外押し滑りブロック43が前記滑り板31を押す時滑り板31を損壊することが防止できる。
【００１８】
その中に、前記電気接続装置は前記駆動空キャビティ5の右端壁に設置される電気接続溝6を含み、前記電気接続溝6に左右滑動できる電気接続滑りブロック61が設置され、前記電気接続滑りブロック61の右端面に銅板62が固定設置され、前記電気接続溝6の右端壁に上弾性電気継手64と下弾性電気継手65が上下対称で設置され、前記第一歯車51の右端壁に前記電気接続溝6の中に伸びて且つ前記電気接続滑りブロック61の中にある第二ねじ穴63にねじで係合接続される第二ボルト53が固定設置され、前記上弾性電気継手64が給電電源に電気接続され、前記下弾性電気継手65が前記給電穴22に電気接続される。
【００１９】
その中に、前記第二歯車41と前記第一歯車51の体積が同じで、原動力を伝送するには便利である。
【００２０】
その中に、前記シャッター35の内側端に案内ヘッドが設置され、前記シャッター35の横断面積が前記通し溝36の横断面積より小さいため、前記シャッター35を前記通し溝36に挿入させ、前記シャッター35を通じて前記支えばね34の位置が変化することを防止する。
【００２１】
その中に、前記ロックブロック11の頂端面の左右両側に前記圧力受け傾斜面33に当接して滑り係合接続されるプッシュ傾斜面14が対称で設置され、前記プッシュ傾斜面14と前記圧力受け傾斜面33の傾斜角度が同じで、それによって、前記ロックブロック11が二つの前記ロックバー32を押して外側に滑らせ、前記滑り板31と前記ロックバー32が一体式構造である。
【００２２】
その中に、前記誘導装置は前記電気接続溝６の右側内壁に固定的に設置される誘導器５０を含み、前記誘導器50と前記モーター52が電気接続され、前記電気接続滑りブロック61が最も右端に移動されると、前記誘導器50が前記モーター52を制御して運行を停止する。
【００２３】
初期位置にある時、前記モーター52が停止状態にあり、前記電気接続滑りブロック61が前記電気接続溝6の右側に位置され、前記銅板62が前記上弾性電気継手64と下弾性電気継手65に接触され、二つの前記外押し滑りブロック43が前記外押し空キャビティ4の中に位置され、二つの前記滑り板31がそれぞれに前記第一スライドキャビティ3の内側端に位置され、二つの前記ロックバー32の内側端が前期滑り溝23から抜け出し、前記ロック溝21の中に伸びて、この時前記給電穴22が通電状態にある。
【００２４】
LEDライト1を取り付ける時、前記台形ガイドブロック10を前記台形ガイド溝20に位置合わせ、前記ロックブロック11を前記ロック溝21に位置合わせ、LEDライト1を上に押して、前記ロックブロック11が前記台形ガイド溝20を通して前記ロック溝21に挿入させ、前記台形ガイドブロック10が前記台形ガイド溝20に挿入させ、前記ロックブロック11が前記ロック溝21に挿入する途中、まず前記プッシュ傾斜面14を前記圧力受け傾斜面33に当接して滑り係合接続され、二つの前記ロックバー32が前記ロックブロック11に押されそれぞれに外側に滑って前記滑り溝23に縮まれ、前記ロックブロック11の頂端面が前記ロック溝21の頂端壁に当接すると、前記台形ガイドブロック10が前記台形ガイド溝20に係合接続され、前記ロックブロック11が前記ロック溝21に係合接続され、この時前記電気継手12が前記給電穴22に係合接続され、この時前記二つのロックキャビティ13が前記滑り溝23に向かい合い、前記支えばね34の弾力で二つの前記ロックバー32の内側端が前記滑り溝23から抜け出し、前記ロックキャビティ13に伸びて係合接続され、それによって、前記ロックブロック11を前記ロック溝21にロックさせ、同時に前記台形ガイドブロック10を前記台形ガイド溝20にロックさせ、それによって前記給電穴22を前記LEDライト1に給電させ、前記LEDライト1が通電状態にありながら、ロック状態でもある。
【００２５】
LEDライト1を取り外す時、まず前記LEDライトを支え、前記電気52を制御して回転させ、前記モーター52が回転して前記第一歯車51を回転させ、前記第一歯車51が回転して前記第二歯車41と前記第二ボルト53を同時に回転駆動させ、前記第二ボルト53が回転して前記電気接続滑りブロック61を左に滑り回転させ、それによって、前記銅板62を前記上弾性電気継手64と下弾性電気継手65の接触から離脱させ、前記給電穴22を給電中断させ、前記第二歯車41が回転して二本前記の第一ボルト42を回転駆動させ、前記第一ボルト42が回転して前記外押し滑りブロック43を外側に滑り回転させ、前記外押し滑りブロック43が外側に滑って前記滑り板31を外側に滑らせ、それによって、前記滑り板31が前期ロックバー32を外側に滑り駆動させ、前記ロックバー32が外側に滑って前記ロックバー32の内側端を前記ロックキャビティ13の係合接続から離脱させ、それによって、前記ロックブロック11をアンロックさせ、前記ロックブロック11を抜け、前記LEDライト1を取り外すには便利であり、最後前記モーター52を制御して反転させ、本装置を元の位置に戻させ、次回のLEDライト1の取り付けや使用に便利である。
【００２６】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。